(57)【要約】【課題】  折り畳み時に方向及び位置が変化せず、装飾品の載置や物品を収納部を提供する折畳みベッドのヘッドボードフレーム構造を提供する。【解決手段】  ベッドフレーム１０及びヘッドボードフレーム構造４０により構成され、マットレス３５を設置可能な第一、二フレーム体２０、３０をサポートポスト１５上に相対して折り畳み可能に構成される。該第一、二フレーム体のそれぞれ異なる端部には該サポートポストと同等の高さに立柱組２１、３１を設置し、該ヘッドボードフレーム構造４０は、該ベッドフレームの一方の側のフレーム体２０に設置される。該ヘッドボードフレーム構造は該サポートフレーム４１及びベッド板４５により構成され、該二本のサポートフレームは該ベッド板を内側に固定し、かつ該フレーム体の立柱組両側上端には固定孔を具えた挿入ポストをそれぞれ延長設置して該サポートフレームの二本の固定支管に挿入して固定する。【選択図】図１
0003103337.tif 000002
【実用新案登録請求の範囲】
【請求項１】
ベッドフレーム及びヘッドボードフレーム構造により構成され、
該ベッドフレームは、上面にマットレスを設置可能な第一、二フレーム体をサポートポスト上で折り畳み可能に設けて構成され、
該第一、二フレーム体のそれぞれ異なる端部には該サポートポストと同等の高さの立柱組を設置し、
該ヘッドボードフレーム構造は該ベッドフレームの一方の側のフレーム体に設置され、該ヘッドボードフレーム構造は２本のサポートフレーム及びベッド板により構成され、該二本のサポートフレームは該ベッド板を内側に固定し、また、該フレーム体の立柱組両側上端には固定孔を具えた挿入ポストをそれぞれ延伸し、該二本の挿入ポストを該サポートフレームの二本の固定支管に挿入して固定し、
これにより折り畳み時にその方向及び位置が変化しないようにしたことを特徴とする折畳みベッドのヘッドボードフレーム構造。
【請求項２】
前記サポートフレームは、二本のＬ字型を呈した中空の固定支管により構成されることを特徴とする請求項１記載の折畳みベッドのヘッドボードフレーム構造。
【請求項３】
前記サポートフレームは、一体形状のコの字型を呈する固定フレーム管により構成し、該固定フレーム管には支柱を固定設置し、前記ベッド板は該支柱上に固定されることを特徴とする請求項１記載の折畳みベッドのヘッドボードフレーム構造。
【請求項４】
前記ヘッドボードフレーム構造のベッド板上には逆Ｌ字型を呈するフレーム板を設置することを特徴とする請求項１、或いは２記載の折畳みベッドのヘッドボードフレーム構造。
【請求項５】
前記ヘッドボードフレーム構造のベッド板上にはフックを具えたラックを設置することを特徴とする請求項１、或いは２記載の折畳みベッドのヘッドボードフレーム構造。
【請求項６】
前記ヘッドボードフレーム構造のベッド板上には収納槽台を設置することを特徴とする請求項１、或いは２記載の折畳みベッドのヘッドボードフレーム構造。
【請求項７】
ベッドフレーム及びヘッドボードフレーム構造により構成され、
該ベッドフレームは、その上面にマットレスを設置可能な第一、二フレーム体を相対してサポートポスト上で折り畳み可能に設け、
該第一、二フレーム体のそれぞれ異なる端部には該サポートポストと同等の高さの立柱組を設置し、
該ヘッドボードフレーム構造のサポートフレームは第一、二フレーム体の立柱組上に直接設置され、該二本のサポートフレーム頂点端には共に床面と水平状を呈する固定板を横に跨って設置し、こうして、該ベッドフレームが折り畳まれている時も展開時にも該固定板と床面は水平状を保ち、
これにより折り畳み時に方向及び位置が変化しないようにしたことを特徴とする折畳みベッドのヘッドボードフレーム構造。
【請求項８】
前記ヘッドボードフレーム構造のサポートフレームは立柱組の横ポスト上に直接溶接固定され、該横ポストは前記ベッドフレームが展開或いは折り畳まれている時も常に床と水平状を保つことを特徴とする請求項７記載の折畳みベッドのヘッドボードフレーム構造。
【考案の詳細な説明】
【技術分野】
【０００１】
本考案は一種の折畳みベッドのヘッドボードフレーム構造に関する。特に一種の多元的でかつ使用者が自ら組立て及び折畳みを行うことができるヘッドボードフレームの構造で、折畳みベッドの経済性を向上させることができる折畳みベッドのヘッドボードフレーム構造に係る。
【背景技術】
【０００２】
折畳みベッドは主に室内の狭い空間で使用され、使用者は通常は半分に折畳み、空間を節約する目的を達成するものである。そのため、その構造は単純さが求められ、一般に見られる折畳みベッドはヘッドボードを具えないか、あっても固定式のヘッドボードであるため、折畳み時に場所を取るばかりでなく、使用上において可変性を欠いている。
これに対して、業界では各種の改良を行って来た。
【特許文献１】中華民国特許公報公告第348465号
【０００３】
例えば、中華民国特許公報公告第348465号「折畳みベッドの収納可能枕」は主に前半部後端と後半部前端により、中間位置のサポート脚において可動接続し、前半部前端と後半部後端にはそれぞれ固定支脚を具えるものである。止板は水平板及び直板を設置し、該直板は該折畳みベッドの前半部或いは後半部に固定され、該水平板及び該折畳みベッドのベッド面間には枕収納空間を形成する。該折畳みベッドが折畳まれＶ字形状を形成する時、該直板は枕収納空間の底部に位置する。
該折畳みベッドの構造は枕を収納可能な構造を設置し、ヘッドボード機能と収容機能を具えるヘッドボードを具えるが、該ヘッドボードは固定式構造に属するため、使用者は任意に取り外すことはできず、しかも多用な変化を具えないため、使用において不便である。
さらに、この種のヘッドボードはベッドフレーム上に直接固設するため、ベッドフレームを折畳む時、ヘッドボードの方向もまたそれにしたがって変化する。そのため、該折畳みベッドを折畳んだ後、ヘッドボードは他の用途に使用することはできず、折畳みベッドの経済性を低下させてしまっている。
【考案の開示】
【考案が解決しようとする課題】
【０００４】
上記公知構造の欠点を解決するため、本考案は折畳みベッドのヘッドボードフレーム構造の提供を課題とする。
それは、公知構造の可変性に欠け、変化に乏しく、不便であるなどの欠点に対して改良を加え、折り畳みベッドの経済的価値を向上させることができる。
【課題を解決するための手段】
【０００５】
上記課題を解決するため、本考案は下記の折畳みベッドのヘッドボードフレーム構造を提供する。
それは主にベッドフレーム及びヘッドボードフレーム構造により構成される。
該ベッドフレームは頂点面にマットレスを設置可能な第一、二フレーム体により相対しサポートポスト上において折り畳み可能に設けられる。該第一、二フレーム体のそれぞれ異なる端部には該サポートフレームと同等の高さの立柱組を設置する。
該ヘッドボードフレーム構造は該ベッドフレームの一方の側のフレーム体に設置される。該ヘッドボードフレーム構造は該サポートフレーム及びベッド板により構成され、該二本のサポートフレームは該ベッド板を内側に固定し、かつ該フレーム体の立柱組両側上端には固定孔を具えた挿入ポストをそれぞれ延伸し、該二本の挿入ポストは該サポートフレームの二本の固定支管により対応し挿入設置される。
これにより、折り畳み時に方向及び位置が変化しないため、折り畳み後も装飾品を飾ったり、物品を収納することができる。さらに、使用者の必要に応じて折り畳み収納が可能で、多元的な変化を提供し、使用の利便性を向上させることができる。
【考案の効果】
【０００６】
上記のように、本考案ヘッドボードフレーム構造は折り畳み時に方向及び位置が変化しないため、折り畳み後も装飾品を飾ったり、物品を収納することができる。さらに、使用者の必要に応じて折り畳み収納が可能で、多元的な変化を提供し、使用の利便性を向上させることができる。
【考案を実施するための最良の形態】
【０００７】
図１、２が示すように、本考案は主にベッドフレーム１０及び該ベッドフレームに設置するヘッドボードフレーム構造４０により構成する。
該ベッドフレーム１０は、第一、二フレーム体２０、３０をサポートポスト１５上において可動設置し、かつ該第一、二フレーム体２０、３０はそのそれぞれ異なる端部には下向きに延伸する立柱組２１、３１を設置する。該立柱組２１、３１底端には該サポートポスト１５と同様の高さにローラーを設置し、折畳み移動の便を図る。さらに該第一、二フレーム体２０、３０の上部にはマットレス２５、３５を設置する。
【０００８】
次に図１、２が示す本考案の構造上の特色について説明する。該ヘッドボードフレーム構造４０は、該ベッドフレーム１０のどちらか一方の第一、二フレーム体２０、３０（本考案は第一フレーム体２０を実施例とする）に設置する。該ヘッドボードフレーム構造４０は、サポートフレーム４１及びベッド板４５により構成し、該サポートフレーム４１は二本のＬ字型を呈する中空の固定支管４２により構成する。該二本の固定支管４２は、固定ボルト４４を利用して該ベッド板４５を内側に固定し、かつ該第一フレーム体２０の立柱組２１は両側上端において、固定孔５５を具えた挿入ポスト５０をそれぞれ設置する。該二本の挿入ポスト５０は、該サポートフレーム４１の二本の固定支管４２に対応して挿入して設置され、該固定ボルト４３を利用して固定される。
該ヘッドボードフレーム構造４０は該サポートフレーム４１の固定支管４２により該第一フレーム体２０の挿入ポスト５０上に設置されて、組合せ式かつ使用の便の高い折畳みヘッドボードセットの構造を構成する。
次に図１、２、７が示すように、使用者は自身の必要に応じてヘッドボードフレーム構造４０を組立てることができる。こうして場所を取らず、使用の利便性を向上させることができる。
さらに図３が示すように、使用者は該ベッド板４５上においてフック６５を具えたラック６０を掛けることができ、これにより、使用者は該ラック６０に物品を入れることができる。
また図４が示すように、該サポートフレーム４１の固定支管４２上において逆Ｌ字型のフレーム板７０を設置し、使用者は該フレーム板上に装飾品を飾ることができる。
さらに、図５が示すように、該固定支管４２上に開口部が上に向かった収納槽台７５を設置し、様々な物品を収納することができる。
これらにより、該ヘッドボードフレーム構造４０の多目的化を実現し、使用者は自身で組立てまた解体することにより、生活の彩りを演出することができる。
【０００９】
本考案のヘッドボードフレーム構造４０は、該ベッドフレーム１０の第一、二フレーム体２０、３０の立柱組２５、３５上に設置することもできる。使用者が該第一、二フレーム体２０、３０を折り畳む時、該立柱組２５、３５上に設置するヘッドボードフレーム構造４０の方向或いは位置に影響を及ぼすことはない。代って、該ヘッドボードフレーム構造４０は、該ベッドフレーム１０において折り畳まれた後も、依然として使用者は装飾品を飾り、或いは収納棚として使用することができ、取り外す必要はないため、使用の多目的化と利便性を向上させることができる。
【００１０】
続いて図６が示すように、本考案の別種の実施例では該ヘッドボードフレーム構造８０のサポートフレーム８１は一体形状のコの字型固定フレーム管８２により構成される。該固定フレーム管８２の中間位置には垂直に上に向かった逆Ｖ字型の支柱８５を溶接固定する。該支柱８５は、固定ボルト８６を利用しベッド板９０を固定し、上記実施例同様の機能を達成することができる。
【００１１】
さらに図８が示すように、本考案のさらに別種の実施例によれば、該ヘッドボードフレーム構造１００のサポートフレーム１０１は第一、二フレーム体２０、３０の立柱組２１、３１横ポスト上に直接溶接固定する。該横ポストは該ベッドフレーム１０が展開或いは折り畳まれているときも常に床と水平状を保つ。該二本のサポートフレーム１０１頂点端には共に、床面と水平状を呈する固定板１０５を横に跨り設置する。こうして、該ベッドフレーム１０が折り畳まれている時も展開時にも該固定板１０５と床面は水平状態を保ち、使用者は該固定板１０５上に物品を置くことができる。しかも、該ベッドフレーム１０は折り畳まれている時も展開時も物品を移動させる必要はなく、固定式の棚のように使用することができる。
【図面の簡単な説明】
【００１２】
【図１】本考案の組立て後の状態を示す立体外観図である。
【図２】本考案の構成と各部品の相関関係を詳細に説明する立体分解図である。
【図３】本考案の第二種使用参考指示図である。
【図４】本考案の第三種使用参考指示図である。
【図５】本考案の第四種使用参考指示図である。
【図６】本考案別種の実施例の外観指示図である。
【図７】本考案ベッドフレーム折畳み時の使用参考指示図である。
【図８】本考案さらに別種の実施例の外観指示図である。
【符号の説明】
【００１３】
１０  ベッドフレーム
１５  サポートポスト
２０  第一フレーム体
２１  立柱組
２５  マットレス
３０  第二フレーム体
３１  立柱組
３５  マットレス
４０  ヘッドボードフレーム構造
４１  サポートフレーム
４２  固定支管
４３  固定ボルト
４４  固定ボルト
４５  ベッド板
５０  挿入ポスト
５５  固定孔
６０  ラック
６５  フック
７０  フレーム板
７５  収納槽台
８０  ヘッドボードフレーム構造
８１  サポートフレーム
８２  固定フレーム管
８５  支柱
８６  固定ボルト
９０  ベッド板
１００  ヘッドボードフレーム構造
１０１  サポートフレーム
１０５  固定板
【図１】
0003103337.tif 000003
【図２】
0003103337.tif 000004
【図３】
0003103337.tif 000005
【図４】
0003103337.tif 000006
【図５】
0003103337.tif 000007
【図６】
0003103337.tif 000008
【図７】
0003103337.tif 000009
【図８】
0003103337.tif 000010